(57)【要約】  基地局（２０）は、端末との間で上り信号と下り信号とを時分割で切り替えて通信を行う。基地局は、生成部（２２２）と、送信部（２４０ａ）と、第１の受信部（２４０ａ）と、第２の受信部（２４０ｂ）とを有する。生成部は、時間長が異なる無線リソースに割り当てられた複数の送信信号を多重化することにより無線信号を生成する。送信部は、下り信号の送信タイミングで無線信号を第１の周波数帯域において端末へ送信する。第１の受信部は、上り信号の送信タイミングで端末から送信された上り信号を第１の周波数帯域において受信する。第２の受信部は、無線信号に含まれる複数の送信信号のそれぞれが端末において正しく受信されたか否かを示す応答信号の中で、少なくとも１つの送信信号に対応する応答信号を第１の周波数帯域とは異なる第２の周波数帯域において受信する。
2018150500.tif 000002
【特許請求の範囲】
【請求項１】
端末との間で上り信号と下り信号とを時分割で切り替えて通信を行う基地局において、
時間長が異なる無線リソースに割り当てられた複数の送信信号を多重化することにより無線信号を生成する第１の生成部と、
前記下り信号の送信期間で前記無線信号を第１の周波数帯域において前記端末へ送信する送信部と、
前記上り信号の送信期間で前記端末から送信された前記上り信号を前記第１の周波数帯域において受信する第１の受信部と、
前記無線信号に含まれる複数の送信信号のそれぞれが前記端末において正しく受信されたか否かを示す応答信号の中で、少なくとも１つの送信信号に対応する応答信号を前記第１の周波数帯域とは異なる第２の周波数帯域において受信する第２の受信部と
を有することを特徴とする基地局。
【請求項２】
前記第１の生成部は、
シンボル長が異なる複数の送信信号を含む第１のＦ−ＯＦＤＭ（Filtered−Orthogonal  Frequency  Division  Multiplexing）信号を前記無線信号として生成することを特徴とする請求項１に記載の基地局。
【請求項３】
前記第１のＦ−ＯＦＤＭ信号に含まれる複数の送信信号の少なくともいずれかに対する前記応答信号が送信される周波数帯域を前記第２の周波数帯域に指定する第１の指定信号を生成する第２の生成部をさらに有し、
前記送信部は、
前記第１の指定信号を、前記第１の周波数帯域および前記第２の周波数帯域のいずれかにおいて前記端末へ送信することを特徴とする請求項２に記載の基地局。
【請求項４】
前記第２の生成部は、
前記第１のＦ−ＯＦＤＭ信号に含まれる複数の送信信号の中で、他の送信信号によって伝送されるデータよりも低遅延で伝送されるデータを伝送する送信信号について、前記応答信号の送信に用いられる周波数帯域を前記第２の周波数帯域に指定する前記第１の指定信号を生成することを特徴とする請求項３に記載の基地局。
【請求項５】
前記第２の生成部は、
前記第１のＦ−ＯＦＤＭ信号に含まれる複数の送信信号の少なくともいずれかにおいて伝送されるデータのまとまりに対して前記端末から送信される前記応答信号について、前記データのまとまりが送信された後において、前記第２の周波数帯域に割り当てられる前記応答信号の送信タイミングが、前記第１の周波数帯域において前記端末から前記上り信号が送信されるタイミングよりも遅い場合、前記応答信号が送信される周波数帯域を前記第１の周波数帯域に指定する前記第１の指定信号を生成することを特徴とする請求項３に記載の基地局。
【請求項６】
前記第１のＦ−ＯＦＤＭ信号に含まれる複数の送信信号のいずれかに対応する送信信号を生成する第３の生成部をさらに有し、
前記送信部は、
前記第３の生成部によって生成された下り信号を、前記第２の周波数帯域において、前記応答信号が割り当てられたタイミングとは異なるタイミングで前記端末へ送信することを特徴とする請求項２に記載の基地局。
【請求項７】
シンボル長が異なる複数の送信信号を含む第２のＦ−ＯＦＤＭ信号を生成する第４の生成部をさらに有し、
前記第２の生成部は、
前記第２のＦ−ＯＦＤＭ信号に含まれる複数の送信信号の少なくともいずれかに対する応答信号が送信される周波数帯域を前記第２の周波数帯域に指定する第２の指定信号をさらに生成し、
前記送信部は、
前記第２のＦ−ＯＦＤＭ信号を前記第１の周波数帯域および前記第２の周波数帯域とは異なる第３の周波数帯域において前記端末へ送信し、
前記第２の受信部は、
前記第２のＦ−ＯＦＤＭ信号に含まれる複数の送信信号の少なくともいずれかに対する応答信号を前記第２の周波数帯域において受信することを特徴とする請求項３に記載の基地局。
【請求項８】
前記第１の周波数帯域は、前記第２の周波数帯域よりも広いことを特徴とする請求項１に記載の基地局。
【請求項９】
基地局との間で上り信号と下り信号とを時分割で切り替えて通信を行う端末において、
前記上り信号の送信期間で前記上り信号を第１の周波数帯域において前記基地局へ送信する第１の送信部と、
前記下り信号の送信期間で前記基地局から送信された、時間長が異なる無線リソースに割り当てられた複数の送信信号が多重化された無線信号を前記第１の周波数帯域において受信する受信部と、
前記無線信号から自端末宛のデータを抽出する抽出部と、
前記抽出部によって抽出されたデータに基づいて、前記無線信号に含まれる自端末宛の送信信号が正しく受信できたか否かを示す応答信号を生成する生成部と、
前記応答信号を、前記第１の周波数帯域とは異なる第２の周波数帯域において前記基地局へ送信する第２の送信部と
を有することを特徴とする端末。
【請求項１０】
基地局と、前記基地局との間で上り信号と下り信号とを時分割で切り替えて通信を行う端末とを備える無線通信システムにおいて、
前記基地局は、
時間長が異なる無線リソースに割り当てられた複数の送信信号を多重化することにより無線信号を生成する第１の生成部と、
前記下り信号の送信期間で前記無線信号を第１の周波数帯域において前記端末へ送信する第１の送信部と、
前記上り信号の送信期間で前記端末から送信された前記上り信号を前記第１の周波数帯域において受信する第１の受信部と、
前記無線信号に含まれる複数の送信信号のそれぞれが前記端末において正しく受信されたか否かを示す応答信号の中で、少なくとも１つの送信信号に対応する応答信号を前記第１の周波数帯域とは異なる第２の周波数帯域において受信する第２の受信部と
を有し、
前記端末は、
前記上り信号の送信期間で前記上り信号を第１の周波数帯域において前記基地局へ送信する第２の送信部と、
前記下り信号の送信期間で前記無線信号を前記第１の周波数帯域において受信する第３の受信部と、
前記無線信号から自端末宛のデータを抽出する抽出部と、
前記抽出部によって抽出されたデータに基づいて、前記応答信号を生成する第２の生成部と、
前記応答信号を、前記第２の周波数帯域において前記基地局へ送信する第３の送信部と
を有することを特徴とする無線通信システム。
【請求項１１】
端末との間で上り信号と下り信号とを時分割で切り替えて通信を行う基地局における無線通信方法において、
前記基地局が、
時間長が異なる無線リソースに割り当てられた複数の送信信号を多重化することにより無線信号を生成し、
前記下り信号の送信期間で前記無線信号を第１の周波数帯域において前記端末へ送信し、
前記上り信号の送信期間で前記端末から送信された前記上り信号を前記第１の周波数帯域において受信し、
前記無線信号に含まれる複数の送信信号のそれぞれが前記端末において正しく受信されたか否かを示す応答信号の中で、少なくとも１つの送信信号に対応する応答信号を前記第１の周波数帯域とは異なる第２の周波数帯域において受信する
処理を実行することを特徴とする無線通信方法。
【発明の詳細な説明】
【技術分野】
【０００１】
本発明は、基地局、端末、無線通信システム、および無線通信方法に関する。
【背景技術】
【０００２】
次世代の通信規格として５Ｇ（第５世代移動体通信）が検討されている。５Ｇでは、大きくｅＭＢＢ（Enhanced  Mobile  BroadBand）、Ｍａｓｓｉｖｅ  ＭＴＣ（Machine  Type  Communications)、およびＵＲＬＬＣ（Ultra−Reliable  Low  Latency  Communication）に分類される多くのユースケースのサポートが想定されている。５Ｇでは、ＵＲＬＬＣにおける超低遅延データと、通常のデータとを同じインターフェイスで同時にサポートしつつ、周波数利用効率の向上が目標とされている。例えば、ｅＭＢＢでは、上り回線および下り回線におけるユーザプレーンの遅延を４ミリ秒とすることが目標とされている。また、ＵＲＬＬＣでは、上り回線および下り回線におけるユーザプレーンの遅延を０．５ミリ秒とすることが目標とされている。【０００３】
また、近年、１つのキャリアに複数のサブキャリアを多重するＯＦＤＭ（Orthogonal  Frequency  Division  Multiplexing）技術を拡張したＦ−ＯＦＤＭ（Filtered−OFDM）技術も提案されている。Ｆ−ＯＦＤＭでは、シンボル長およびサブキャリア間隔が異なる信号が１つのキャリアに多重される。これにより、通信容量や遅延要求の異なる様々なデータを一括して送信することができる。
【先行技術文献】
【非特許文献】
【０００４】
【非特許文献１】３ＧＰＰ  ＲＰ−１６０６７１
【発明の概要】
【発明が解決しようとする課題】
【０００５】
ところで、遅延に対する要求が厳しい超低遅延データを伝送する場合、超低遅延データの受信に対するＡｃｋ（Acknowledgement）やＮａｃｋ（Negative  acknowledgement）等の応答信号が短い遅延で返信される。そのため、上り信号と下り信号とを時分割で切り替えて通信を行うＴＤＤ（Time  Division  Duplex）方式において超低遅延データを伝送する場合、上り信号と下り信号との切り替えが短期間で行われる。一方、遅延に対する要求が比較的緩いデータ（以下、通常のデータと記載する）の送信においては、上り信号と下り信号との切り替えに伴うオーバーヘッドを抑制するために、比較的長期間のデータに対して応答信号が返信される。そのため、上り信号と下り信号との切り替えが比較的長期間で行われる。【０００６】
ここで、ＴＤＤ方式において、超低遅延データと通常のデータとをＦ−ＯＦＤＭ等により多重化して送信するとすれば、遅延に対する要求が異なるデータが多重されることになる。しかし、遅延に対する要求が異なるデータが多重されると、遅延に対する要求が緩いデータの伝送よりも、遅延に対する要求が厳しいデータに対する応答信号の伝送が優先されてしまう。応答信号の伝送では、下り信号と上り信号との切り替えが発生するため、遅延に対する要求が厳しいデータに対する応答信号が発生した場合には、遅延に対する要求が緩いデータの伝送が延期されることになり、遅延に対する要求が緩いデータの伝送効率が低下する。【０００７】
一方、応答信号を返すデータのまとまりが伝送されるまで、遅延に対する要求が緩いデータの伝送を継続させるとすれば、遅延に対する要求が厳しいデータに対して送信される応答信号の遅延が長くなってしまう。従って、ＴＤＤ方式において、超低遅延データと通常のデータとをＦ−ＯＦＤＭ等により多重化して送信する場合、超低遅延データにおける遅延の要求を満たしつつ伝送効率を向上させることが困難である。【０００８】
開示の技術は、上記に鑑みてなされたものであって、超低遅延データにおける遅延の要求を満たしつつ伝送効率を向上させることを目的とする。
【課題を解決するための手段】
【０００９】
１つの側面では、端末との間で上り信号と下り信号とを時分割で切り替えて通信を行う基地局は、生成部と、送信部と、第１の受信部と、第２の受信部とを有する。生成部は、時間長が異なる無線リソースに割り当てられた複数の送信信号を多重化することにより無線信号を生成する。送信部は、下り信号の送信タイミングで無線信号を第１の周波数帯域において端末へ送信する。第１の受信部は、上り信号の送信タイミングで端末から送信された上り信号を第１の周波数帯域において受信する。第２の受信部は、無線信号に含まれる複数の送信信号のそれぞれが端末において正しく受信されたか否かを示す応答信号の中で、少なくとも１つの送信信号に対応する応答信号を第１の周波数帯域とは異なる第２の周波数帯域において受信する。
【発明の効果】
【００１０】
１実施形態によれば、超低遅延データにおける遅延の要求を満たしつつ伝送効率を向上させることができる。
【図面の簡単な説明】
【００１１】
【図１】図１は、無線通信システムの一例を示す図である。
【図２】図２は、実施例１における基地局の一例を示すブロック図である。
【図３】図３は、実施例１において基地局と端末との間で送受信される信号に含まれるシンボルの構成の一例を示す図である。
【図４】図４は、比較例において基地局と端末との間で送受信される信号に含まれるシンボルの構成の一例を示す図である。
【図５】図５は、実施例１における端末の一例を示すブロック図である。
【図６】図６は、実施例１における基地局の動作の一例を示すフローチャートである。
【図７】図７は、実施例１における基地局の動作の一例を示すフローチャートである。
【図８】図８は、実施例１における端末の動作の一例を示すフローチャートである。
【図９】図９は、実施例１における端末の動作の一例を示すフローチャートである。
【図１０】図１０は、実施例２において基地局と端末との間で送受信される信号に含まれるシンボルの構成の一例を示す図である。
【図１１】図１１は、実施例２における基地局の一例を示すブロック図である。
【図１２】図１２は、実施例２における端末の一例を示すブロック図である。
【図１３】図１３は、実施例３において基地局と端末との間で送受信される信号に含まれるシンボルの構成の一例を示す図である。
【図１４】図１４は、実施例３における基地局の一例を示すブロック図である。
【図１５】図１５は、実施例３における端末の一例を示すブロック図である。
【図１６】図１６は、実施例４において基地局と端末との間で送受信される信号に含まれるシンボルの構成の一例を示す図である。
【図１７】図１７は、実施例４における基地局の一例を示すブロック図である。
【図１８】図１８は、実施例５において応答信号が割り当てられるリソースの一例を説明する図である。
【図１９】図１９は、実施例５における基地局の動作の一例を示すフローチャートである。
【発明を実施するための形態】
【００１２】
以下に、本願の開示する基地局、端末、無線通信システム、および無線通信方法の実施例を、図面に基づいて詳細に説明する。なお、以下の実施例は開示の技術を限定するものではない。また、各実施例は、処理内容を矛盾させない範囲で適宜組み合わせることが可能である。
【実施例１】
【００１３】
［無線通信システム１０］
図１は、無線通信システム１０の一例を示す図である。無線通信システム１０は、基地局２０および複数の端末３０−１〜３０−ｎを有する。本実施例における無線通信システム１０は、例えばＬＴＥ（Long  Term  Evolution）等の移動通信システムである。なお、以下では、複数の端末３０−１〜３０−ｎのそれぞれを区別することなく総称する場合に単に端末３０と記載する。また、無線通信システム１０は、複数の基地局２０を有していてもよい。本実施例において、基地局２０と端末３０とは、第１の周波数帯域Ｆ１において上り信号と下り信号とを時分割で切り替えて通信を行うＴＤＤ方式を用いて通信を行う。【００１４】
基地局２０は、通信インターフェイス２１、プロセッサ２２、メモリ２３、無線通信回路２４、およびアンテナ２５を有する。通信インターフェイス２１は、コアネットワーク１１に接続され、コアネットワーク１１を介して送信されたデータを受信してプロセッサ２２へ出力する。また、通信インターフェイス２１は、プロセッサ２２から出力されたデータをコアネットワーク１１へ出力する。【００１５】
プロセッサ２２は、例えばＣＰＵ（Central  Processing  Unit）、ＦＰＧＡ（Field  Programmable  Gate  Array）、またはＤＳＰ（Digital  Signal  Processor）等を備える。プロセッサ２２は、通信インターフェイス２１から出力されたデータに基づいて、端末３０へ送信される下り信号を生成し、生成された下り信号を無線通信回路２４へ出力する。また、プロセッサ２２は、端末３０において下り信号が正しく受信されなかったことを示す応答信号が無線通信回路２４から出力された場合、当該下り信号を再び無線通信回路２４へ出力する。これにより、端末３０において正しく受信されなかった下り信号が再送される。また、プロセッサ２２は、無線通信回路２４から出力された上り信号に基づいて、コアネットワーク１１へ送信されるデータを生成し、生成されたデータを通信インターフェイス２１へ出力する。【００１６】
メモリ２３は、例えばＲＡＭ（Random  Access  Memory）またはＲＯＭ（Read  Only  Memory）等を備え、プロセッサ２２が処理を実行するために使用する情報を記憶する。プロセッサ２２は、メモリ２３から読み出した情報を用いて所定の処理を実行する。【００１７】
無線通信回路２４は、プロセッサ２２から出力された下り信号に対して第１の周波数帯域Ｆ１の周波数へのアップコンバート、直交変調、および増幅等の処理を施す。そして、無線通信回路２４は、処理後の下り信号を、下り信号の送信期間においてアンテナ２５を介して空間に無線送信する。また、無線通信回路２４は、第１の周波数帯域Ｆ１において、アンテナ２５を介して上り信号の送信期間に上り信号を受信する。そして、無線通信回路２４は、受信した上り信号に対して増幅、直交復調、およびダウンコンバート等の処理を施し、処理後の上り信号をプロセッサ２２へ出力する。【００１８】
それぞれの端末３０は、アンテナ３１、無線通信回路３２、プロセッサ３３、およびメモリ３４を有する。無線通信回路３２は、プロセッサ３３から出力された上り信号に対して第１の周波数帯域Ｆ１の周波数へのアップコンバート、直交変調、および増幅等の処理を施す。そして、無線通信回路３２は、処理後の上り信号を、上り信号の送信期間においてアンテナ３１を介して空間に無線送信する。また、無線通信回路３２は、第１の周波数帯域Ｆ１において、アンテナ３１を介して下り信号の送信期間において下り信号を受信する。そして、無線通信回路３２は、受信した下り信号に対して増幅、直交復調、およびダウンコンバート等の処理を施し、処理後の下り信号をプロセッサ３３へ出力する。【００１９】
また、無線通信回路３２は、プロセッサ３３から出力された応答信号に対して第２の周波数帯域Ｆ２の周波数へのアップコンバート、直交変調、および増幅等の処理を施す。そして、無線通信回路３２は、処理後の応答信号を、アンテナ３１を介して空間に無線送信する。【００２０】
プロセッサ３３は、例えばＣＰＵ、ＦＰＧＡ、またはＤＳＰ等を備え、無線通信回路３２から出力された下り信号から受信データを復号する。そして、プロセッサ３３は、復号された受信データに基づいて所定の処理を実行する。また、プロセッサ３３は、所定の処理によって生成された送信データに対して符号化等を行い、上り信号を生成する。そして、プロセッサ３３は、生成された上り信号を無線通信回路３２へ出力する。【００２１】
また、プロセッサ３３は、無線通信回路３２から出力された下り信号の復号結果に基づいて、基地局２０から送信された下り信号を正しく受信できたか否かを示す応答信号を生成する。そして、プロセッサ３３は、生成された応答信号を無線通信回路３２へ出力する。【００２２】
メモリ３４は、例えばＲＡＭまたはＲＯＭ等を備え、プロセッサ３３が各機能を実現するためのプログラムやデータ等を記憶する。プロセッサ３３は、メモリ３４から読み出したプログラム等に基づいて、各種機能を実現する。【００２３】
［基地局２０］
図２は、実施例１における基地局２０の一例を示すブロック図である。基地局２０は、例えば図２に示すように、送信データ処理部２２０、スケジューラ２２１、ＤＬ（Down  Link）データ処理部２２２、制御情報生成部２２３、ＵＬ（Up  Link）データ処理部２２４、および受信データ処理部２２５を有する。送信データ処理部２２０、スケジューラ２２１、ＤＬデータ処理部２２２、制御情報生成部２２３、ＵＬデータ処理部２２４、および受信データ処理部２２５の各機能は、プロセッサ２２がメモリ２３から読み出したプログラム等を実行することにより実現される。無線通信回路２４は、無線部２４０ａおよび無線部２４０ｂを有する。無線部２４０ａは、送信部および第１の受信部の一例である。また、無線部２４０ｂは、第２の受信部の一例である。【００２４】
無線部２４０ａは、プロセッサ２２から出力された下り信号をデジタル信号からアナログ信号へ変換し、変換後の下り信号を第１の周波数帯域Ｆ１の周波数にアップコンバートする。そして、無線部２４０ａは、アップコンバート後の下り信号に直交変調や増幅等の処理を施す。そして、無線部２４０ａは、処理後の下り信号を、下り信号の送信期間において、アンテナ２５を介して空間に無線送信する。また、無線部２４０ａは、第１の周波数帯域Ｆ１において、アンテナ２５を介して上り信号の送信期間に受信した上り信号に対して、増幅、直交復調、およびダウンコンバート等の処理を施す。そして、無線部２４０ａは、処理後の上り信号をプロセッサ２２へ出力する。【００２５】
無線部２４０ｂは、第２の周波数帯域Ｆ２において端末３０から送信された応答信号をアンテナ２５を介して受信し、受信した応答信号に対して、増幅、直交復調、およびダウンコンバート等の処理を施す。そして、無線部２４０ｂは、処理後の信号をプロセッサ２２へ出力する。【００２６】
送信データ処理部２２０は、通信インターフェイス２１から出力されたデータに基づいて、当該データの種類毎に、データをバッファリングする。データの種類としては、遅延に対する要求が厳しい超低遅延データＤ１、大容量の通信に用いられるデータＤ２、データ量はデータＤ１およびデータＤ２よりは少ないが多数の端末３０との間で送受信されるデータＤ３等がある。超低遅延データＤ１は、例えばＵＲＬＬＣにおいて送受信されるデータである。大容量の通信に用いられるデータＤ２は、例えばｅＭＢＢにおいて送受信されるデータである。多数の端末３０との間で送受信されるデータＤ３は、例えばＭａｓｓｉｖｅ  ＭＴＣにおいて送受信されるデータである。送信データ処理部２２０は、バッファリングしている各種データの情報をスケジューラ２２１に随時通知する。なお、以下では、超低遅延データＤ１、大容量の通信に用いられるデータＤ２、および多数の端末３０との間で送受信されるデータＤ３を、それぞれ、データＤ１、データＤ２、およびデータＤ３と記載する場合がある。【００２７】
送信データ処理部２２０は、種別毎に、バッファリングしているデータをＤＬデータ処理部２２２へ出力する。また、送信データ処理部２２０は、スケジューラ２２１から再送が指示された場合、再送が指示された種別のデータをＤＬデータ処理部２２２へ出力する。一方、スケジューラ２２１から送信完了が通知された場合、送信データ処理部２２０は、バッファリングしているデータの中から、送信が完了したデータを削除する。【００２８】
スケジューラ２２１は、送信データ処理部２２０によってバッファリングされているデータの種別毎に、下り信号の生成に用いられる情報を随時決定する。下り信号の生成に用いられる情報には、例えば、ＭＣＳ（Modulation  and  Coding  Scheme）、送信電力、サブキャリア間隔、およびシンボル長等の情報が含まれる。そして、スケジューラ２２１は、随時決定されたＭＣＳ等の情報をＤＬデータ処理部２２２および制御情報生成部２２３へ出力する。【００２９】
また、スケジューラ２２１は、送信データ処理部２２０によってバッファリングされているデータの種別毎に、データの優先度を決定する。例えば、スケジューラ２２１は、遅延に対する要求が厳しいデータの優先度が高くなるように、各種別のデータの優先度を決定する。そして、スケジューラ２２１は、決定されたデータの優先度に基づいて、ＡｃｋまたはＮａｃｋを示す応答信号の送信に用いられるリソースを決定する。そして、スケジューラ２２１は、データの種別毎に決定された応答信号のリソースの情報を制御情報生成部２２３およびＵＬデータ処理部２２４へ出力する。応答信号のリソースの情報には、応答信号の送信に用いられる周波数および応答信号の送信タイミング等の情報が含まれる。【００３０】
本実施例において、優先度の高いデータに対する応答信号は、ＴＤＤにおける下り信号および上り信号の送信に用いられる第１の周波数帯域Ｆ１とは異なる第２の周波数帯域Ｆ２内の周波数で送信される。一方、優先度が低いデータに対する応答信号は、第１の周波数帯域Ｆ１内の周波数を用いた上り信号において送信される。具体的には、本実施例では、超低遅延データＤ１に対する応答信号が第２の周波数帯域Ｆ２内の周波数を用いて送信され、データＤ２およびデータＤ３に対する応答信号が第１の周波数帯域Ｆ１内の周波数を用いて送信される。なお、本実施例では、最も優先度が高いデータに対する応答信号が第２の周波数帯域Ｆ２内の周波数を用いて送信され、それ以外のデータに対する応答信号は第１の周波数帯域Ｆ１内の周波数を用いて送信されるが、開示の技術はこれに限られない。例えば、優先度が高い上位２つ以上のデータに対する応答信号が第２の周波数帯域Ｆ２の周波数で送信されてもよい。【００３１】
また、スケジューラ２２１は、下り信号の送信期間の情報をＤＬデータ処理部２２２に通知し、上り信号の送信期間の情報をＵＬデータ処理部２２４に通知する。また、スケジューラ２２１は、データの種別毎に受信データ処理部２２５から応答信号が出力された場合、当該応答信号がＡｃｋおよびＮａｃｋのいずれを示すかを判定する。受信データ処理部２２５から出力された応答信号がＡｃｋを示す場合、スケジューラ２２１は、Ａｃｋを示す応答信号に対応する種別のデータについて、送信完了を送信データ処理部２２０に通知する。一方、受信データ処理部２２５から出力された応答信号がＮａｃｋを示す場合、スケジューラ２２１は、Ｎａｃｋを示す応答信号に対応する種別のデータについて、再送を送信データ処理部２２０に指示する。【００３２】
制御情報生成部２２３は、スケジューラ２２１によってデータの種別毎に決定された応答信号のリソースおよびＭＣＳ等の情報を含む制御情報を生成する。そして、制御情報生成部２２３は、生成された制御情報をＤＬデータ処理部２２２へ出力する。制御情報生成部２２３は、第２の生成部の一例である。また、応答信号のリソースを指定する情報は、指定信号の一例である。【００３３】
ＤＬデータ処理部２２２は、データの種別毎に、送信データ処理部２２０から出力されたデータと制御情報生成部２２３から出力された制御情報とを、スケジューラ２２１から出力されたＭＣＳ等に基づいてＯＦＤＭ変調する。本実施例において、超低遅延データＤ１、データＤ２、およびデータＤ３は、それぞれサブキャリア間隔およびシンボル長が異なるＯＦＤＭ信号に変調される。そして、ＤＬデータ処理部２２２は、ＯＦＤＭ変調された送信信号を、データの種別毎にフィルタリングして合成することにより、Ｆ−ＯＦＤＭ信号を生成する。Ｆ−ＯＦＤＭ信号は、無線信号の一例である。そして、ＤＬデータ処理部２２２は、スケジューラ２２１から通知された下り信号の送信期間において、生成されたＦ−ＯＦＤＭ信号を無線部２４０ａへ出力する。ＤＬデータ処理部２２２は、第１の生成部の一例である。データＤ１〜Ｄ３のそれぞれに対応するシンボルは、シンボル長が異なる複数の送信信号の一例である。【００３４】
ＵＬデータ処理部２２４は、スケジューラ２２１から通知された上り信号の送信期間において、無線部２４０ａから出力された上り信号を復調する。本実施例において、上り信号は、Ｆ−ＯＦＤＭ信号である。ＵＬデータ処理部２２４は、無線部２４０ａから出力されたＦ−ＯＦＤＭ信号をデータの種別毎にフィルタリングした後に、データの種別毎に復調する。そして、ＵＬデータ処理部２２４は、データの種別毎に、復調されたデータを受信データ処理部２２５へ出力する。データの種別によっては、復調されたデータに応答信号が含まれている場合がある。【００３５】
また、ＵＬデータ処理部２２４は、スケジューラ２２１から通知された応答信号のリソースに基づいて、応答信号の送信タイミングを含む所定の期間において、無線部２４０ｂから出力された応答信号を復調する。そして、ＵＬデータ処理部２２４は、復調した応答信号を受信データ処理部２２５へ出力する。【００３６】
受信データ処理部２２５は、データの種別毎に、ＵＬデータ処理部２２４から出力されたデータを復号する。そして、受信データ処理部２２５は、復号されたデータからユーザデータを抽出し、抽出したユーザデータを通信インターフェイス２１へ出力する。また、受信データ処理部２２５は、復号されたデータに応答信号が含まれている場合、復号されたデータから応答信号を抽出し、抽出した応答信号をスケジューラ２２１へ出力する。また、受信データ処理部２２５は、ＵＬデータ処理部２２４から応答信号が出力された場合、当該応答信号をスケジューラ２２１へ出力する。【００３７】
［シンボル構成］
ここで、本実施例において、基地局２０と端末３０との間で送受信される信号の一例について、図３を参照して説明する。図３は、実施例１において基地局２０と端末３０との間で送受信される信号に含まれるシンボルの構成の一例を示す図である。図３の左側には、第１の周波数帯域Ｆ１において送受信されるＦ−ＯＦＤＭ信号が示されている。本実施例において、第１の周波数帯域Ｆ１では、上り信号と下り信号とが時分割で切り替えられる。図３に示したＦ−ＯＦＤＭ信号において、各マスはそれぞれのタイミングで送信される送信信号のシンボルのリソースを表している。具体的には、図３に示したＦ−ＯＦＤＭ信号において、各マスにおける時間軸方向の長さはシンボル長を表しており、各マスにおける周波数軸方向の長さはサブキャリア間隔を表している。【００３８】
本実施例におけるＦ−ＯＦＤＭ信号には、超低遅延データＤ１、大容量の通信に用いられるデータＤ２、および多数の端末３０との間で送受信されるデータＤ３が多重される。本実施例において、データＤ３のシンボル長は、例えば図３に示すように、１スロットの期間ｔsと等しい長さである。また、データＤ２のシンボル長は、データＤ３のシンボル長の半分の長さであり、データＤ２のサブキャリア間隔は、データＤ３のサブキャリア間隔の２倍の間隔である。また、超低遅延データＤ１のシンボル長は、データＤ２のシンボル長の半分の長さであり、超低遅延データＤ１のサブキャリア間隔は、データＤ２のサブキャリア間隔の２倍の間隔である。なお、本実施例において、各種データのシンボル長は、有効シンボル長とＣＰ（Cyclic  Prefix）長とを合計した長さである。【００３９】
また、図３において、白いマスは基地局２０から端末３０へ送信される下り信号のシンボルを表しており、ハッチングが施されたマスは端末３０から基地局２０へ送信される上り信号のシンボルを表している。即ち、第１の周波数帯域Ｆ１では、下り信号の送信期間ｔDにおいて基地局２０から端末３０へ下り信号が送信され、上り信号の送信期間ｔUにおいて端末３０から基地局２０へ上り信号が送信される。また、第２の周波数帯域Ｆ２では、応答信号が端末３０から基地局２０へ送信される。【００４０】
また、本実施例では、超低遅延データＤ１について、所定数のシンボルに対する応答信号が、例えば図３の右側に示すように、第２の周波数帯域Ｆ２内の周波数を用いて送信される。図３の例では、超低遅延データＤ１の７個のシンボルのまとまり毎に１つの応答信号が第２の周波数帯域Ｆ２において端末３０から基地局２０へ送信されている。なお、データＤ２およびデータＤ３に対する応答信号については、超低遅延データＤ１よりも遅延に対する要求が緩いため、第１の周波数帯域Ｆ１において、上り信号の送信期間ｔUで応答信号が端末３０から基地局２０へ送信される。なお、本実施例において、第１の周波数帯域Ｆ１の帯域幅は、第２の周波数帯域Ｆ２の帯域幅よりも広い。【００４１】
ここで、データＤ１〜Ｄ２の応答信号が全て第１の周波数帯域Ｆ１において送信されるとすれば、例えば図４に示すように、遅延に対する要求が厳しい超低遅延データＤ１の応答信号の送信タイミング４０で信号の送信方向が下り信号から上り信号に切り替えられる。図４は、比較例において基地局２０と端末３０との間で送受信される信号に含まれるシンボルの構成の一例を示す図である。【００４２】
図４に示した比較例において、超低遅延データＤ１の応答信号の送信タイミング４０を含むスロットには、データＤ３のシンボルを配置するのに十分な下り信号の期間がない。同様に、図４に示した比較例において、超低遅延データＤ１の応答信号の送信タイミング４０を含むスロットには、データＤ２のシンボルを時間軸方向に２つ配置するのに十分な下り信号の期間がない。そのため、超低遅延データＤ１の応答信号の送信タイミング４０を含むスロットに配置されなかったデータＤ２およびデータＤ３のシンボルの送信は、次の下り信号のスロットまで延期される。これにより、例えば図４に示すように、各スロットにおいて点線で示された領域４１には、データの送信に寄与しないＮｕｌｌデータ等が配置されることになる。従って、データＤ２およびデータＤ３の伝送効率が低下する。【００４３】
これに対し、本実施例における無線通信システム１０では、例えば図３に示したように、Ｆ−ＯＦＤＭ信号に含まれる複数の送信信号の少なくともいずれかに対する応答信号が第１の周波数帯域Ｆ１とは異なる第２の周波数帯域Ｆ２において送信される。特に、Ｆ−ＯＦＤＭ信号に含まれる複数の送信信号の中で、遅延に対する要求が最も厳しい、即ち、遅延に対する許容範囲が最も小さい送信信号に対する応答信号が第２の周波数帯域Ｆ２で送信される。これにより、例えば図３に示したように、各スロット内にデータＤ１〜Ｄ３をより多く配置することができる。従って、超低遅延データＤ１における遅延の要求を満たしつつ、データの伝送効率を向上させることができる。【００４４】
［端末３０］
図５は、実施例１における端末３０の一例を示すブロック図である。端末３０は、例えば図５に示すように、ＵＬデータ処理部３３０、送信データ処理部３３１、ＤＬデータ処理部３３２、受信データ処理部３３３、および応答信号生成部３３４を有する。ＵＬデータ処理部３３０、送信データ処理部３３１、ＤＬデータ処理部３３２、受信データ処理部３３３、および応答信号生成部３３４の各機能は、プロセッサ３３がメモリ３４から読み出したプログラム等を実行することにより実現される。無線通信回路３２は、無線部３２０ａおよび無線部３２０ｂを有する。【００４５】
無線部３２０ａは、プロセッサ３３から出力された上り信号をデジタル信号からアナログ信号へ変換し、変換後の上り信号を第１の周波数帯域Ｆ１の周波数にアップコンバートする。そして、無線部３２０ａは、アップコンバート後の上り信号に直交変調や増幅等の処理を施す。そして、無線部３２０ａは、処理後の上り信号を、上り信号の送信期間において、アンテナ３１を介して空間に無線送信する。また、無線部３２０ａは、第１の周波数帯域Ｆ１において、アンテナ３１を介して下り信号の送信期間において下り信号を受信する。そして、無線部３２０ａは、受信した下り信号に対して、増幅、直交復調、およびダウンコンバート等の処理を施し、処理後の下り信号をプロセッサ３３へ出力する。無線部３２０ａは、第１の送信部および受信部の一例である。【００４６】
無線部３２０ｂは、プロセッサ３３から出力された応答信号をデジタル信号からアナログ信号へ変換し、変換後の信号を第２の周波数帯域Ｆ２の周波数にアップコンバートする。そして、無線部３２０ｂは、アップコンバート後の応答信号に直交変調や増幅等の処理を施す。そして、無線部３２０ｂは、処理後の応答信号を、応答信号の送信タイミングとして指定されたタイミングでアンテナ３１を介して空間に無線送信する。無線部３２０ｂは、第２の送信部の一例である。【００４７】
送信データ処理部３３１は、図示しないアプリケーション処理部によって生成されたデータの種別毎にデータに符号化等の処理を行い、処理後のデータをＵＬデータ処理部３３０へ出力する。また、応答信号生成部３３４から応答信号が出力された場合、送信データ処理部３３１は、当該応答信号についても符号化等の処理を行い、処理後の応答信号をＵＬデータ処理部３３０へ出力する。【００４８】
ＵＬデータ処理部３３０は、データの種別毎に、送信データ処理部３３１から出力されたデータおよび応答信号をＯＦＤＭ変調し、変調されたデータを種別毎にフィルタリングして合成することにより、Ｆ−ＯＦＤＭ信号を生成する。そして、ＵＬデータ処理部３３０は、上り信号の送信期間において、生成されたＦ−ＯＦＤＭ信号を無線部３２０ａへ出力する。【００４９】
ＤＬデータ処理部３３２は、下り信号の送信期間において、無線部３２０ａから出力された下り信号であるＦ−ＯＦＤＭ信号をデータの種別毎にフィルタリングする。そして、ＤＬデータ処理部３３２は、データの種別毎に、フィルタリングされた送信信号を復調し、復調されたデータを受信データ処理部３３３へ出力する。復調されたデータには、応答信号のリソースおよび送信タイミングを示す情報等を含む制御情報が含まれている。【００５０】
受信データ処理部３３３は、データの種別毎に、ＤＬデータ処理部３３２から出力されたデータからユーザデータと制御情報とを分離する。そして、受信データ処理部３３３は、ユーザデータの復号を試行し、ユーザデータの受信に成功したか否かを判定する。受信データ処理部３３３は、ユーザデータの復号に成功した場合に、ユーザデータの受信に成功したと判定し、ユーザデータの復号に失敗した場合に、ユーザデータの受信に失敗したと判定する。【００５１】
そして、受信データ処理部３３３は、データの種別毎に、ユーザデータの受信に関する判定結果と制御情報とを応答信号生成部３３４へ出力する。また、受信データ処理部３３３は、受信に成功したと判定されたユーザデータを、図示しないアプリケーション処理部へ出力する。【００５２】
応答信号生成部３３４は、受信データ処理部３３３から出力された判定結果に基づいて、データの種別毎に、判定結果に対応する応答信号を生成する。具体的には、応答信号生成部３３４は、受信データ処理部３３３による判定結果がユーザデータの受信成功である場合、Ａｃｋを示す応答信号を生成する。一方、受信データ処理部３３３による判定結果がユーザデータの受信失敗である場合、応答信号生成部３３４は、Ｎａｃｋを示す応答信号を生成する。そして、応答信号生成部３３４は、データの種別毎に、受信データ処理部３３３から出力された制御情報を参照し、リソースとして第１の周波数帯域Ｆ１が指定されている応答信号を送信データ処理部３３１へ出力する。また、応答信号生成部３３４は、リソースとして第２の周波数帯域Ｆ２が指定されている応答信号を無線部３２０ｂへ出力する。【００５３】
［基地局２０の動作］
図６および図７は、実施例１における基地局２０の動作の一例を示すフローチャートである。図６は、主に第１の周波数帯域Ｆ１における上り信号および下り信号の送受信に関する基地局２０の動作の一例を示しており、図７は、応答信号の受信と再送処理に関する基地局２０の動作の一例を示している。【００５４】
まず、スケジューラ２２１は、第１の周波数帯域Ｆ１における下り信号によって伝送されるデータの種別毎にデータの優先度を決定するスケジューリングを行う（Ｓ１００）。そして、スケジューラ２２１は、優先度が高い順に、データの種別毎にデータ用のリソースを割り当てる（Ｓ１０１）。ステップＳ１０１では、データの種別毎に、周波数リソースや下り信号の生成に用いられるＭＣＳ等の情報が決定される。データの種別毎に決定されたリソースやＭＣＳ等の情報は、ＤＬデータ処理部２２２へ出力される。【００５５】
次に、スケジューラ２２１は、優先度が高い順に、データの種別毎に応答信号用のリソースを割り当てる（Ｓ１０２）。本実施例において、スケジューラ２２１は、優先度が最も高いデータ（例えば超低遅延データＤ１）については、応答信号のリソースを第２の周波数帯域Ｆ２に割り当てる。一方、スケジューラ２２１は、優先度が最も高いデータ以外のデータ（例えばデータＤ２およびデータＤ３）については、応答信号のリソースを第１の周波数帯域Ｆ１に割り当てる。【００５６】
次に、制御情報生成部２２３は、スケジューラ２２１によってデータの種別毎に決定された応答信号用のリソースおよびデータ用のリソース等の情報を含む制御情報を生成する（Ｓ１０３）。そして、制御情報生成部２２３は、生成された制御情報をＤＬデータ処理部２２２へ出力する。【００５７】
次に、ＤＬデータ処理部２２２は、データの種別毎に、送信データ処理部２２０から出力されたデータと制御情報生成部２２３から出力された制御情報とを、スケジューラ２２１から出力されたＭＣＳ等に基づいてＯＦＤＭ変調する。そして、ＤＬデータ処理部２２２は、ＯＦＤＭ変調された送信信号を種別毎にフィルタリングして合成することにより、Ｆ−ＯＦＤＭ信号を下り信号として生成する（Ｓ１０４）。【００５８】
次に、ＤＬデータ処理部２２２は、下り信号の送信期間であるか否かを判定する（Ｓ１０５）。下り信号の送信期間ではない場合（Ｓ１０５：Ｎｏ）、ＵＬデータ処理部２２４は、上り信号の送信期間であるか否かを判定する（Ｓ１０６）。上り信号の送信期間ではない場合（Ｓ１０６：Ｎｏ）、ＤＬデータ処理部２２２は、再びステップＳ１０５に示した処理を実行する。【００５９】
一方、上り信号の送信期間である場合（Ｓ１０６：Ｙｅｓ）、ＵＬデータ処理部２２４は、無線部２４０ａから出力された上り信号を受信し、受信した上り信号を復調する（Ｓ１０７）。そして、受信データ処理部２２５は、ＵＬデータ処理部２２４によって復調されたデータを復号し、復号されたデータに含まれているユーザデータを通信インターフェイス２１へ出力し、復号されたデータに含まれている応答信号をスケジューラ２２１へ出力する。そして、ＤＬデータ処理部２２２は、再びステップＳ１０５に示した処理を実行する。【００６０】
一方、下り信号の送信期間である場合（Ｓ１０５：Ｙｅｓ）、ＤＬデータ処理部２２２は、ステップＳ１０４で生成されたＦ−ＯＦＤＭ信号を下り信号として無線部２４０ａへ出力する。無線部２４０ａは、ＤＬデータ処理部２２２から出力された下り信号を第１の周波数帯域Ｆ１の周波数にアップコンバートする。そして、無線部２４０ａは、アップコンバート後の下り信号に直交変調や増幅等の処理を施し、処理後の下り信号をアンテナ２５を介して空間に無線送信する（Ｓ１０８）。【００６１】
次に、スケジューラ２２１は、送信データ処理部２２０内にバッファリングされたデータに基づいて、下り信号における各種データのリソースの割り当てを変更するか否かを判定する（Ｓ１０９）。例えば、データの種別の増減等により、各種データのリソースの割り当てが変更される場合がある。リソースの割り当てを変更しない場合（Ｓ１０９：Ｎｏ）、ＤＬデータ処理部２２２は、再びステップＳ１０４に示した処理を実行する。一方、リソースの割り当てを変更する場合（Ｓ１０９：Ｙｅｓ）、スケジューラ２２１は、再びステップＳ１００に示した処理を実行する。【００６２】
次に、図７を参照して、応答信号の受信と再送処理に関する基地局２０の動作を説明する。【００６３】
まず、ＵＬデータ処理部２２４は、スケジューラ２２１から出力された応答信号のリソースの情報に基づいて、応答信号の送信タイミングであるか否かを判定する（Ｓ１１０）。応答信号の送信タイミングではない場合（Ｓ１１０：Ｎｏ）、ＵＬデータ処理部２２４は、再びステップＳ１１０に示した処理を実行する。一方、応答信号の送信タイミングである場合（Ｓ１１０：Ｙｅｓ）、ＵＬデータ処理部２２４は、応答信号の送信タイミングを含む所定の期間において、無線部２４０ｂから出力された応答信号を受信する（Ｓ１１１）。そして、ＵＬデータ処理部２２４は、受信した応答信号を復調して受信データ処理部２２５へ出力する。【００６４】
次に、受信データ処理部２２５は、ＵＬデータ処理部２２４によって復調された応答信号をスケジューラ２２１へ出力する。送信データ処理部２２０およびスケジューラ２２１は、再送処理を実行する（Ｓ１１２）。そして、ＵＬデータ処理部２２４は、再びステップＳ１１０に示した処理を実行する。再送処理では、スケジューラ２２１は、応答信号がＮａｃｋを示す場合、送信データ処理部２２０に、応答信号に対応するデータの再送を指示する。送信データ処理部２２０は、スケジューラ２２１から指示されたデータを再送する。一方、応答信号がＡｃｋを示す場合、スケジューラ２２１は、送信データ処理部２２０に、応答信号に対応するデータの送信完了を通知する。送信データ処理部２２０は、スケジューラ２２１から送信完了が通知されたデータを、バッファリングされているデータの中から削除する。【００６５】
［端末３０の動作］
図８および図９は、実施例１における端末３０の動作の一例を示すフローチャートである。図８は、主に第１の周波数帯域Ｆ１における上り信号および下り信号の送受信に関する端末３０の動作の一例を示しており、図７は、応答信号の送信に関する端末３０の動作の一例を示している。【００６６】
まず、ＤＬデータ処理部３３２は、下り信号の送信期間であるか否かを判定する（Ｓ２００）。下り信号の送信期間である場合（Ｓ２００：Ｙｅｓ）、ＤＬデータ処理部３３２は、無線部３２０ａから出力された下り信号であるＦ−ＯＦＤＭ信号を受信する（Ｓ２０１）。そして、ＤＬデータ処理部３３２は、受信したＦ−ＯＦＤＭ信号をデータの種別毎にフィルタリングする。そして、ＤＬデータ処理部３３２は、データの種別毎に、フィルタリングされた送信信号を復調し、復調されたデータを受信データ処理部３３３へ出力する。【００６７】
次に、受信データ処理部３３３は、データの種別毎に、ＤＬデータ処理部３３２から出力されたデータに含まれるユーザデータの復号を試行し、ユーザデータの受信に成功したか否かを判定する（Ｓ２０２）。受信データ処理部３３３によってユーザデータの受信に成功したと判定された場合（Ｓ２０２：Ｙｅｓ）、応答信号生成部３３４は、Ａｃｋを示す応答信号を生成する（Ｓ２０３）。一方、受信データ処理部３３３によってユーザデータの受信に失敗したと判定された場合（Ｓ２０２：Ｎｏ）、応答信号生成部３３４は、Ｎａｃｋを示す応答信号を生成する（Ｓ２０４）。そして、リソースとして第１の周波数帯域Ｆ１が指定されている応答信号は、送信データ処理部３３１へ出力され、送信データ処理部３３１によって符号化等の処理が行われる。そして、処理後の応答信号は、ＵＬデータ処理部３３０によってＦ−ＯＦＤＭ信号に変調されて無線部３２０ａから送信される。そして、再びステップＳ２００に示した処理が実行される。【００６８】
一方、下り信号の送信期間ではない場合（Ｓ２００：Ｎｏ）、送信データ処理部３３１は、上り信号の送信期間であるか否かを判定する（Ｓ２０５）。上り信号の送信期間ではない場合（Ｓ２０５：Ｎｏ）、再びステップＳ２００に示した処理が実行される。【００６９】
一方、上り信号の送信期間である場合（Ｓ２０５：Ｙｅｓ）、送信データ処理部３３１は、未送信のデータおよび応答信号の少なくともいずれかがあるか否かを判定する（Ｓ２０６）。未送信のデータおよび応答信号のいずれもない場合（Ｓ２０６：Ｎｏ）、再びステップＳ２００に示した処理が実行される。【００７０】
一方、未送信のデータおよび応答信号の少なくともいずれかがある場合（Ｓ２０６：Ｙｅｓ）、送信データ処理部３３１は、データの種別毎に未送信のデータまたは応答信号に符号化等の処理を行う。そして、送信データ処理部３３１は、処理後のデータまたは応答信号をＵＬデータ処理部３３０へ出力する。送信データ処理部３３１によって符号化等が行われたデータまたは応答信号は、ＵＬデータ処理部３３０によってＦ−ＯＦＤＭ信号に変調され、第１の周波数帯域Ｆ１において無線部３２０ａから上り信号として送信される（Ｓ２０７）。そして、再びステップＳ２００に示した処理が実行される。【００７１】
次に、図９を参照して、応答信号の送信に関する端末３０の動作を説明する。【００７２】
まず、受信データ処理部３３３は、下り信号の送信期間において受信された下り信号を復号し、ユーザデータの受信に関する判定結果を、応答信号のリソース等の情報を含む制御情報と共に応答信号生成部３３４へ出力する。応答信号生成部３３４は、受信データ処理部３３３から出力された制御情報に基づいて、第２の周波数帯域Ｆ２のリソースに割り当てられた応答信号の送信タイミングを特定する。そして、応答信号生成部３３４は、応答信号の送信タイミングであるか否かを判定する（Ｓ２１０）。【００７３】
応答信号の送信タイミングである場合（Ｓ２１０：Ｙｅｓ）、応答信号生成部３３４は、第２の周波数帯域Ｆ２のリソースに割り当てられた応答信号を無線部３２０ｂへ出力する。無線部３２０ｂは、応答信号生成部３３４から出力された応答信号に対して、第２の周波数帯域Ｆ２の周波数へのアップコンバート、直交変調、増幅等の処理を施す。そして、無線部３２０ｂは、処理後の信号を、アンテナ３１を介して空間に無線送信する（Ｓ２１１）。そして、再びステップＳ２１０に示した処理が実行される。【００７４】
［実施例１の効果］
上述のように、本実施例の無線通信システム１０は、基地局２０と、基地局２０との間で上り信号と下り信号とを時分割で切り替えて通信を行う端末３０とを備える。基地局２０は、ＤＬデータ処理部２２２と、無線部２４０ａと、無線部２４０ｂとを有する。ＤＬデータ処理部２２２は、シンボル長が異なる複数の送信信号を含むＦ−ＯＦＤＭ信号を生成する。無線部２４０ａは、下り信号の送信タイミングでＦ−ＯＦＤＭ信号を第１の周波数帯域Ｆ１において端末３０へ送信する。また、無線部２４０ａは、上り信号の送信タイミングで端末３０から送信された上り信号を第１の周波数帯域Ｆ１において受信する。無線部２４０ｂは、Ｆ−ＯＦＤＭ信号に含まれる複数の送信信号の各々が端末３０において正しく受信されたか否かを示す応答信号の中で、少なくとも１つの送信信号に対応する応答信号を第１の周波数帯域Ｆ１とは異なる第２の周波数帯域Ｆ２において受信する。また、端末３０は、無線部３２０ａと、無線部３２０ｂと、受信データ処理部３３３と、応答信号生成部３３４とを有する。無線部３２０ａは、上り信号の送信期間で上り信号を第１の周波数帯域Ｆ１において基地局２０へ送信する。また、無線部３２０ａは、下り信号の送信期間で基地局２０から送信されたＦ−ＯＦＤＭ信号を第１の周波数帯域Ｆ１において受信する。受信データ処理部３３３は、Ｆ−ＯＦＤＭ信号から自端末宛の送信信号に含まれるデータを抽出する。応答信号生成部３３４は、受信データ処理部３３３によって抽出されたデータに基づいて、応答信号を生成する。無線部３２０ｂは、生成された応答信号を、第２の周波数帯域Ｆ２において端末３０へ送信する。これにより、無線通信システム１０は、超低遅延データにおける遅延の要求を満たしつつ伝送効率を向上させることができる。【００７５】
また、本実施例において、端末３０は、Ｆ−ＯＦＤＭ信号に含まれる複数の送信信号の少なくともいずれかに対する応答信号が送信される周波数帯域を第２の周波数帯域Ｆ２に指定する情報を含む制御情報を生成する制御情報生成部２２３を有する。無線部２４０ａは、制御情報生成部２２３によって生成された制御情報を、第１の周波数帯域Ｆ１において端末３０へ送信する。これにより、端末３０は、第２の周波数帯域Ｆ２において送信する応答信号を特定することができる。【００７６】
また、本実施例において、制御情報生成部２２３は、Ｆ−ＯＦＤＭ信号に含まれる複数の送信信号の中で、他の送信信号によって伝送されるデータよりも低遅延で伝送されるデータを伝送する送信信号について、応答信号の送信に用いられる周波数帯域を第２の周波数帯域Ｆ２に指定する制御情報を生成する。これにより、無線通信システム１０は、超低遅延データにおける遅延の要求を満たしつつ伝送効率を向上させることができる。【００７７】
また、本実施例において、第１の周波数帯域Ｆ１は、第２の周波数帯域Ｆ２よりも広い。これにより、応答信号のリソースが第２の周波数帯域Ｆ２に配置されることにより、第１の周波数帯域Ｆ１の伝送効率を高く保つことができ、全体として伝送効率を高く保つことができる。
【実施例２】
【００７８】
実施例１では、応答信号のリソースの情報等を含む制御情報が第１の周波数帯域Ｆ１の下り信号において基地局２０から端末３０へ送信された。これに対し、実施例２では、例えば図１０に示すように、応答信号のリソースの情報等を含む制御情報が第２の周波数帯域Ｆ２において基地局２０から端末３０へ送信される点が実施例１と異なる。図１０は、実施例２において基地局２０と端末３０との間で送受信される信号に含まれるシンボルの構成の一例を示す図である。例えば図１０に示すように、第２の周波数帯域Ｆ２では、制御情報が基地局２０から端末３０へ送信され、応答信号が端末３０から基地局２０へ送信される。一方、第１の周波数帯域Ｆ１では、複数の送信信号を含むＦ−ＯＦＤＭ信号が基地局２０と端末３０との間で送受信される。これにより、第１の周波数帯域Ｆ１におけるより多くのリソースを、基地局２０と端末３０との間のデータの送受信に活用することができ、データの伝送効率を高めることができる。【００７９】
［基地局２０］
図１１は、実施例２における基地局２０の一例を示すブロック図である。なお、以下に説明する点を除き、図１１において、図２と同一の符号が付されたブロックは、図２を用いて説明したブロックと同様であるため、詳細な説明を省略する。【００８０】
スケジューラ２２１は、制御情報の送信タイミングを決定する。制御情報生成部２２３は、スケジューラ２２１によってデータの種別毎に決定された応答信号のリソースおよびＭＣＳ等の情報を含む制御情報を生成し、生成された制御情報を、スケジューラ２２１によって決定された送信タイミングで無線部２４０ｂへ出力する。【００８１】
無線部２４０ｂは、制御情報生成部２２３から出力された制御情報をデジタル信号からアナログ信号へ変換し、変換後の制御情報を第２の周波数帯域Ｆ２にアップコンバートする。そして、無線部２４０ｂは、アップコンバート後の制御情報に直交変調や増幅等の処理を施す。そして、無線部２４０ｂは、処理後の制御情報を、スケジューラ２２１によって決定された送信タイミングにおいて、アンテナ２５を介して空間に無線送信する。【００８２】
［端末３０］
図１２は、実施例２における端末３０の一例を示すブロック図である。なお、以下に説明する点を除き、図１２において、図５と同一の符号が付されたブロックは、図５を用いて説明したブロックと同様であるため、詳細な説明を省略する。【００８３】
受信データ処理部３３３は、データの種別毎に、ＤＬデータ処理部３３２から出力されたデータからユーザデータを抽出し、抽出したユーザデータの復号を試行する。そして、受信データ処理部３３３は、ユーザデータの受信に成功したか否かを判定する。また、受信データ処理部３３３は、無線部３２０ｂから出力された信号から制御情報を抽出する。そして、受信データ処理部３３３は、データの種別毎に、ユーザデータの受信に関する判定結果と制御情報とを応答信号生成部３３４へ出力する。【００８４】
［実施例２の効果］
上述のように、本実施例の無線部２４０ｂは、制御情報生成部２２３によって生成された制御情報を、第２の周波数帯域Ｆ２において端末３０へ送信する。これにより、第１の周波数帯域Ｆ１におけるより多くのリソースを、基地局２０と端末３０との間のデータの送受信に活用することができ、データの伝送効率を高めることができる。
【実施例３】
【００８５】
実施例１では、データＤ１〜Ｄ３は、第１の周波数帯域Ｆ１において基地局２０から端末３０へ送信された。これに対し、実施例３では、例えば図１３に示すように、データＤ１〜Ｄ３の少なくともいずれかのリソースが、第１の周波数帯域Ｆ１および第２の周波数帯域Ｆ２の両方に割り当てられる点が実施例１と異なる。図１３は、実施例３において基地局２０と端末３０との間で送受信される信号に含まれるシンボルの構成の一例を示す図である。図１３に示された例では、データＤ２のリソースが第１の周波数帯域Ｆ１および第２の周波数帯域Ｆ２の両方に割り当てられている。一方、データＤ１およびデータＤ３のリソースは、第１の周波数帯域Ｆ１に割り当てられ、第２の周波数帯域Ｆ２には割り当てられていない。このように、本実施例では、データＤ２が、第１の周波数帯域Ｆ１のリソースと第２の周波数帯域Ｆ２のリソースとを用いて端末３０から基地局２０へ送信される。これにより、データＤ２のような大容量のデータをより効率よく伝送することができる。【００８６】
［基地局２０］
図１４は、実施例３における基地局２０の一例を示すブロック図である。本実施例における基地局２０は、例えば図１４に示すように、送信データ処理部２２０、スケジューラ２２１、ＤＬデータ処理部２２２ａ、ＤＬデータ処理部２２２ｂ、制御情報生成部２２３、ＵＬデータ処理部２２４、および受信データ処理部２２５を有する。なお、以下に説明する点を除き、図１４において、図２と同一の符号が付されたブロックは、図２を用いて説明したブロックと同様であるため、詳細な説明を省略する。【００８７】
スケジューラ２２１は、送信データ処理部２２０によってバッファリングされているデータの種別毎に、下り信号の生成に用いられる情報を随時決定する。下り信号の生成に用いられる情報には、下り信号の送信に用いられる周波数リソースの情報が含まれる。本実施例において、スケジューラ２２１は、例えば、超低遅延データＤ１およびデータＤ３のリソースを第１の周波数帯域Ｆ１に割り当て、データＤ２のリソースを第１の周波数帯域Ｆ１および第２の周波数帯域Ｆ２の両方に割り当てる。そして、スケジューラ２２１は、決定された情報をＤＬデータ処理部２２２ａ、ＤＬデータ処理部２２２ｂ、制御情報生成部２２３、およびＵＬデータ処理部２２４へ出力する。なお、本実施例において、第２の周波数帯域Ｆ２には、遅延に対する要求が厳しい超低遅延データＤ１に対する応答信号が配置される。そのため、スケジューラ２２１は、第２の周波数帯域Ｆ２のリソースの中で、データＤ１の応答信号に割り当てられているリソースとは異なるリソースをデータＤ２に割り当てる。【００８８】
ＤＬデータ処理部２２２ａは、データの種別毎に、送信データ処理部２２０から出力されたデータＤ１〜Ｄ３と制御情報生成部２２３から出力された制御情報とを、スケジューラ２２１から出力されたＭＣＳ等に基づいてＯＦＤＭ変調する。そして、ＤＬデータ処理部２２２ａは、ＯＦＤＭ変調された送信信号をデータの種別毎にフィルタリングして合成することにより、Ｆ−ＯＦＤＭ信号を生成する。そして、ＤＬデータ処理部２２２ａは、スケジューラ２２１から通知された下り信号の送信期間において、生成されたＦ−ＯＦＤＭ信号を無線部２４０ａへ出力する。【００８９】
ＤＬデータ処理部２２２ｂは、データの種別毎に、送信データ処理部２２０から出力されたデータＤ２を、スケジューラ２２１から出力されたＭＣＳ等に基づいてＯＦＤＭ変調する。そして、ＤＬデータ処理部２２２ｂは、ＯＦＤＭ変調された送信信号を、スケジューラ２２１から通知されたリソースに含まれる送信タイミングにおいて無線部２４０ｂへ出力する。ＤＬデータ処理部２２２ｂは、第３の生成部の一例である。ＤＬデータ処理部２２２ｂによって生成された送信信号は、ＤＬデータ処理部２２２ａによって生成されたＦ−ＯＦＤＭ信号に含まれる送信信号に対応している。【００９０】
無線部２４０ｂは、ＤＬデータ処理部２２２ｂから出力された送信信号をデジタル信号からアナログ信号へ変換し、変換後の送信信号を第２の周波数帯域Ｆ２の周波数にアップコンバートする。そして、無線部２４０ｂは、アップコンバート後の送信信号に直交変調や増幅等の処理を施す。そして、無線部２４０ｂは、処理後の送信信号をアンテナ２５を介して空間に無線送信する。【００９１】
［端末３０］
図１５は、実施例３における端末３０の一例を示すブロック図である。端末３０は、例えば図１５に示すように、ＵＬデータ処理部３３０、送信データ処理部３３１、ＤＬデータ処理部３３２ａ、ＤＬデータ処理部３３２ｂ、受信データ処理部３３３、および応答信号生成部３３４を有する。なお、以下に説明する点を除き、図１５において、図５と同一の符号が付されたブロックは、図５を用いて説明したブロックと同様であるため、詳細な説明を省略する。【００９２】
ＤＬデータ処理部３３２ａは、下り信号の送信期間において、無線部３２０ａから出力された下り信号であるＦ−ＯＦＤＭ信号をデータの種別毎にフィルタリングする。そして、ＤＬデータ処理部３３２ａは、データの種別毎に、フィルタリングされたデータを復調し、復調されたデータを受信データ処理部３３３へ出力する。復調されたデータには、応答信号のリソースおよび送信タイミングを示す情報等を含む制御情報が含まれている。また、本実施例において、ＤＬデータ処理部３３２ａは、データＤ１〜Ｄ３を含むデータを復調する。【００９３】
ＤＬデータ処理部３３２ｂは、第２の周波数帯域Ｆ２において送信信号が送信される期間において、無線部３２０ｂから出力された送信信号を復調する。そして、ＤＬデータ処理部３３２ｂは、復調されたデータを受信データ処理部３３３へ出力する。本実施例において、ＤＬデータ処理部３３２ｂは、無線部３２０ｂから出力された送信信号からデータＤ２を含むデータを復調する。【００９４】
［実施例３の効果］
上述のように、本実施例の基地局２０は、ＤＬデータ処理部２２２ａによって生成されるＦ−ＯＦＤＭ信号に含まれる複数の送信信号のいずれかに対応する送信信号を生成するＤＬデータ処理部２２２ｂをさらに有する。無線部２４０ｂは、ＤＬデータ処理部２２２ｂによって生成された送信信号を、第２の周波数帯域Ｆ２において、応答信号が割り当てられたタイミングとは異なるタイミングで端末３０へ送信する。これにより、無線通信システム１０は、データＤ２のような大容量のデータをより効率よく伝送することができる。
【実施例４】
【００９５】
実施例１の無線通信システム１０では、複数の送信信号を含むＦ−ＯＦＤＭ信号が第１の周波数帯域Ｆ１で送信され、第１の周波数帯域Ｆ１において送信された複数の送信信号の少なくともいずれかに対応する応答信号が第２の周波数帯域Ｆ２で送信される。これに対し、実施例４の無線通信システム１０では、複数の送信信号を含むＦ−ＯＦＤＭ信号が第１の周波数帯域Ｆ１および第３の周波数帯域Ｆ３においてそれぞれ基地局２０から端末３０へ送信される。そして、第１の周波数帯域Ｆ１で送信された複数の送信信号の少なくともいずれかに対応する応答信号、および、第３の周波数帯域Ｆ３で送信された複数の送信信号の少なくともいずれかに対応する応答信号が、第２の周波数帯域Ｆ２において送信される。なお、３つ以上の周波数帯域を用いて下り信号が送信され、それぞれの周波数帯域において送信された信号の少なくとも一部の送信信号に対する応答信号が第２の周波数帯域Ｆ２において送信されてもよい。【００９６】
図１６は、実施例４において基地局２０と端末３０との間で送受信される信号に含まれるシンボルの構成の一例を示す図である。本実施例では、例えば図１６に示すように、データＤ１〜Ｄ３を含むＦ−ＯＦＤＭ信号が第１の周波数帯域Ｆ１において送信され、データＤ１’〜Ｄ３’を含むＦ−ＯＦＤＭ信号が第３の周波数帯域Ｆ３において送信される。また、第１の周波数帯域Ｆ１で送信されたデータＤ１〜Ｄ３の中のデータＤ１に対応する応答信号、および、第３の周波数帯域Ｆ３において送信されたデータＤ１’〜Ｄ３’の中のデータＤ１’に対応する応答信号が、第２の周波数帯域Ｆ２で送信される。このように、異なる周波数帯域において送信されたＦ−ＯＦＤＭ信号に対する応答信号のリソースとして、１つの周波数帯域のリソースが共通に用いられることにより、応答信号の送信に用いられる周波数帯域をより効率よく利用することができる。【００９７】
［基地局２０］
図１７は、実施例４における基地局２０の一例を示すブロック図である。本実施例における基地局２０は、送信データ処理部２２０、スケジューラ２２１、ＤＬデータ処理部２２２ａ、ＤＬデータ処理部２２２ｂ、制御情報生成部２２３、ＵＬデータ処理部２２４ａ、ＵＬデータ処理部２２４ｂ、および受信データ処理部２２５を有する。また、本実施例において、無線通信回路２４は、無線部２４０ａ〜２４０ｃを有する。なお、以下に説明する点を除き、図１７において、図２と同一の符号が付されたブロックは、図２を用いて説明したブロックと同様であるため、詳細な説明を省略する。【００９８】
無線部２４０ｃは、ＤＬデータ処理部２２２ｂから出力された下り信号をデジタル信号からアナログ信号へ変換し、変換後の下り信号を第３の周波数帯域Ｆ３の周波数にアップコンバートする。そして、無線部２４０ｃは、アップコンバート後の下り信号に直交変調や増幅等の処理を施す。そして、無線部２４０ｃは、処理後の下り信号を、下り信号の送信期間において、アンテナ２５を介して空間に無線送信する。また、無線部２４０ｃは、第３の周波数帯域Ｆ３において、アンテナ２５を介して上り信号の送信期間に受信した上り信号に対して、増幅、直交復調、およびダウンコンバート等の処理を施す。そして、無線部２４０ｃは、処理後の上り信号をＵＬデータ処理部２２４ｂへ出力する。【００９９】
スケジューラ２２１は、送信データ処理部２２０によってバッファリングされているデータの種別毎に、下り信号の生成に用いられる情報を随時決定する。下り信号の生成に用いられる情報には、下り信号の送信に用いられる周波数リソースの情報が含まれる。本実施例において、スケジューラ２２１は、例えば、データＤ１〜Ｄ３のリソースを第１の周波数帯域Ｆ１に割り当て、データＤ１’〜Ｄ３’のリソースを第３の周波数帯域Ｆ３に割り当てる。そして、スケジューラ２２１は、決定された情報をＤＬデータ処理部２２２ａ、ＤＬデータ処理部２２２ｂ、制御情報生成部２２３、ＵＬデータ処理部２２４ａ、およびＵＬデータ処理部２２４ｂへ出力する。【０１００】
制御情報生成部２２３は、スケジューラ２２１によってデータの種別毎に決定された応答信号のリソースおよびＭＣＳ等の情報を含む制御情報を生成する。例えば、制御情報生成部２２３は、データＤ１〜Ｄ３のリソースを第１の周波数帯域Ｆ１に、データＤ１’〜Ｄ３’のリソースを第３の周波数帯域Ｆ３に、それぞれ割り当てる情報を含む制御情報を生成する。また、例えば、制御情報生成部２２３は、データＤ２およびデータＤ２’に対応する応答信号のリソースを第２の周波数帯域Ｆ２に割り当てる情報を含む制御情報を生成する。そして、制御情報生成部２２３は、生成された制御情報をＤＬデータ処理部２２２ａおよびＤＬデータ処理部２２２ｂへ出力する。データＤ２に対応する応答信号のリソースを第２の周波数帯域Ｆ２に割り当てる情報は、第１の指定信号の一例であり、データＤ２’に対応する応答信号のリソースを第２の周波数帯域Ｆ２に割り当てる情報は、第２の指定信号の一例である。【０１０１】
ＤＬデータ処理部２２２ａは、データの種別毎に、送信データ処理部２２０から出力されたデータＤ１〜Ｄ３と制御情報生成部２２３から出力された制御情報とを、スケジューラ２２１から出力されたＭＣＳ等に基づいてＯＦＤＭ変調する。そして、ＤＬデータ処理部２２２ａは、ＯＦＤＭ変調された送信信号をデータの種別毎にフィルタリングして合成することにより、Ｆ−ＯＦＤＭ信号を生成する。そして、ＤＬデータ処理部２２２ａは、スケジューラ２２１から通知された下り信号の送信期間において、生成されたＦ−ＯＦＤＭ信号を無線部２４０ａへ出力する。【０１０２】
ＤＬデータ処理部２２２ｂは、データの種別毎に、送信データ処理部２２０から出力されたデータＤ１’〜Ｄ３’と制御情報生成部２２３から出力された制御情報とを、スケジューラ２２１から出力されたＭＣＳ等に基づいてＯＦＤＭ変調する。そして、ＤＬデータ処理部２２２ｂは、ＯＦＤＭ変調された送信信号をデータの種別毎にフィルタリングして合成することにより、Ｆ−ＯＦＤＭ信号を生成する。そして、ＤＬデータ処理部２２２ｂは、スケジューラ２２１から通知された下り信号の送信期間において、生成されたＦ−ＯＦＤＭ信号を無線部２４０ｃへ出力する。ＤＬデータ処理部２２２ｂは、第４の生成部の一例である。【０１０３】
ＵＬデータ処理部２２４ａは、スケジューラ２２１から通知された上り信号の送信期間において、無線部２４０ａから出力された上り信号を復調する。無線部２４０ａから出力された上り信号には、応答信号が含まれている場合がある。そして、ＵＬデータ処理部２２４ａは、データの種別毎に、復調されたデータを受信データ処理部２２５へ出力する。また、ＵＬデータ処理部２２４ａは、スケジューラ２２１から通知された応答信号のリソースに基づいて、応答信号の送信タイミングを含む所定の期間において、無線部２４０ｂから出力された応答信号を復調する。そして、ＵＬデータ処理部２２４ａは、復調した応答信号を受信データ処理部２２５へ出力する。【０１０４】
ＵＬデータ処理部２２４ｂは、スケジューラ２２１から通知された上り信号の送信期間において、無線部２４０ｃから出力された上り信号を復調する。無線部２４０ｃから出力された上り信号には、応答信号が含まれている場合がある。そして、ＵＬデータ処理部２２４ｂは、データの種別毎に、復調されたデータを受信データ処理部２２５へ出力する。【０１０５】
なお、端末３０の構成は、図５を用いて説明した実施例１における端末３０と同様であるため、詳細な説明を省略する。また、本実施例では、基地局２０が、第１の周波数帯域Ｆ１においてデータＤ１〜Ｄ３を含むＦ−ＯＦＤＭ信号を送信すると共に、第３の周波数帯域Ｆ３においてデータＤ１’〜Ｄ３’を含むＦ−ＯＦＤＭ信号を送信する例について説明した。ただし、開示の技術はこれに限られない。例えば、第１の周波数帯域Ｆ１においてデータＤ１〜Ｄ３を含むＦ−ＯＦＤＭ信号を送信する基地局２０と、第３の周波数帯域Ｆ３においてデータＤ１’〜Ｄ３’を含むＦ−ＯＦＤＭ信号を送信する基地局２０とが、別々の基地局２０であってもよい。【０１０６】
［実施例４の効果］
上述のように、本実施例の基地局２０は、Ｆ−ＯＦＤＭ信号を生成するＤＬデータ処理部２２２ｂをさらに有する。制御情報生成部２２３は、ＤＬデータ処理部２２２ｂによって生成されたＦ−ＯＦＤＭ信号に含まれる複数の送信信号の少なくともいずれかに対する応答信号が送信される周波数帯域を第２の周波数帯域Ｆ２に指定する制御情報をさらに生成する。無線部２４０ｃは、ＤＬデータ処理部２２２ｂによって生成されたＦ−ＯＦＤＭ信号を第１の周波数帯域Ｆ１および第２の周波数帯域Ｆ２とは異なる第３の周波数帯域Ｆ３において端末３０へ送信する。無線部２４０ｂは、ＤＬデータ処理部２２２ｂによって生成されたＦ−ＯＦＤＭ信号に含まれる複数の送信信号の少なくともいずれかに対する応答信号を第２の周波数帯域Ｆ２において受信する。これにより、応答信号の送信に用いられる第２の周波数帯域Ｆ２をより効率よく利用することができる。
【実施例５】
【０１０７】
実施例１では、第１の周波数帯域Ｆ１において送信されるＦ−ＯＦＤＭ信号に含まれる複数の送信信号の少なくともいずれかに対応する応答信号のリソースが第２の周波数帯域Ｆ２に固定的に割り当てられる。これに対し、実施例５では、例えば図１８に示すように、第２の周波数帯域Ｆ２に割り当てられる応答信号の送信タイミング４３が、上り信号の送信タイミング４２よりも早い場合には、応答信号のリソースが第２の周波数帯域Ｆ２に割り当てられる。一方、第２の周波数帯域Ｆ２に割り当てられる応答信号の送信タイミング４４が、応答信号の送信タイミングの範囲内において、上り信号の送信タイミング４２よりも遅い場合には、応答信号のリソースが第１の周波数帯域Ｆ１の上り信号に割り当てられる。応答信号の送信タイミングの範囲は、端末３０の処理時間等を考慮して予め算出される。【０１０８】
［基地局２０］
本実施例における基地局２０の構成は、以下に説明する点を除き、図２を用いて説明した実施例１の基地局２０と同様であるため、詳細な説明を省略する。【０１０９】
スケジューラ２２１は、送信データ処理部２２０によってバッファリングされているデータの種別毎に、データの優先度を決定する。そして、スケジューラ２２１は、決定されたデータの優先度順に、各データについて、ＡｃｋまたはＮａｃｋを示す応答信号の送信に用いられるリソースを第１の周波数帯域Ｆ１および第２の周波数帯域Ｆ２のいずれに割り当てるかを決定する。【０１１０】
具体的には、スケジューラ２２１は、優先度が最も高いデータＤ１のまとまり毎に応答信号のリソースを第２の周波数帯域Ｆ２に仮に割り当てる。そして、スケジューラ２２１は、データＤ１のまとまり毎に、応答信号の送信タイミングの範囲内において、応答信号の送信タイミングと上り信号の送信タイミングとを比較する。応答信号の送信タイミングの範囲は、例えば、基地局２０と端末３０との間の信号の伝搬時間および端末３０内の処理時間等に基づいて算出される。応答信号の送信タイミングの範囲を示す情報は、予めスケジューラ２２１に設定されている。【０１１１】
そして、スケジューラ２２１は、仮に割り当てられた送信タイミングが上り信号の送信タイミングよりも早い応答信号については、第２の周波数帯域Ｆ２へのリソースの仮の割り当てを確定させる。一方、仮に割り当てられた送信タイミングが上り信号の送信タイミングと同じか、上り信号の送信タイミングよりも遅い応答信号については、スケジューラ２２１は、第２の周波数帯域Ｆ２への当該応答信号のリソースの割り当てを取り消す。そして、スケジューラ２２１は、取り消された応答信号のリソースを第１の周波数帯域Ｆ１の上り信号に割り当てる。そして、スケジューラ２２１は、データの種別毎に決定された応答信号のリソースの情報を制御情報生成部２２３およびＵＬデータ処理部２２４へ出力する。【０１１２】
制御情報生成部２２３は、スケジューラ２２１によってデータの種別毎に決定された応答信号のリソースおよびＭＣＳ等の情報を含む制御情報を生成する。そして、制御情報生成部２２３は、生成された制御情報をＤＬデータ処理部２２２へ出力する。【０１１３】
ここで、第２の周波数帯域Ｆ２には、例えば前述の実施例２または３に示したように、応答信号以外の信号のリソースが割り当てられる場合がある。また、第２の周波数帯域Ｆ２には、例えば前述の実施例４に示したように、他のデータの応答信号のリソースが割り当てられる場合もある。そのため、応答信号のリソースが第２の周波数帯域Ｆ２に仮に割り当てられる際に、応答信号のリソースが、応答信号の送信タイミングの範囲内で最も早いタイミングのリソースに割り当てられるとは限らない。そのため、応答信号の送信タイミングの範囲内で、第２の周波数帯域Ｆ２において応答信号に仮に割り当てられた送信タイミングが、第１の周波数帯域Ｆ１における上り信号の送信タイミングよりも遅くなる場合がある。そのような場合には、応答信号のリソースを第１の周波数帯域Ｆ１における上り信号に割り当てた方が、応答信号の送信タイミングが早まる。そのため、応答信号の遅延量をより少なくすることができる。【０１１４】
また、本実施例では、第２の周波数帯域Ｆ２において応答信号に仮に割り当てられた送信タイミングが、第１の周波数帯域Ｆ１における上り信号の送信タイミングと同じタイミングである場合、スケジューラ２２１は、応答信号のリソースを第１の周波数帯域Ｆ１における上り信号に割り当てる。これにより、端末３０から基地局２０へ送信される信号を第１の周波数帯域Ｆ１の上り信号にまとめることができる。これにより、第１の周波数帯域Ｆ１および第２の周波数帯域Ｆ２の両方を用いて信号を送受信する場合に比べて、基地局２０よび端末３０の消費電力を低減することができる。【０１１５】
なお、本実施例では、第２の周波数帯域Ｆ２にリソースが割り当てられる応答信号は、優先度が最も高いデータＤ１に対する応答信号である。ただし、第２の周波数帯域Ｆ２にリソースが割り当てられる応答信号は、優先度が高い順に２つ以上のデータのそれぞれに対する応答信号であってもよい。【０１１６】
［端末３０］
本実施例における端末３０の構成は、図５を用いて説明した実施例１の端末３０と同様である。そのため、詳細な説明を省略する。【０１１７】
［基地局２０の動作］
図１９は、実施例５における基地局２０の動作の一例を示すフローチャートである。なお、以下に説明する点を除き、図６と同一の符号を付した処理は、図６において説明した処理と同様であるため、詳細な説明を省略する。【０１１８】
まず、ステップＳ１００およびＳ１０１に示した処理が実行される。次に、スケジューラ２２１は、優先度が最も高いデータを除くデータについて、優先度が高い順に、データの種別毎に応答信号用のリソースを割り当てる（Ｓ１０２）。本実施例において、スケジューラ２２１は、優先度が最も高いデータ（例えば超低遅延データＤ１）を除くデータ（例えばデータＤ２およびデータＤ３）について、優先度が高い順に、応答信号のリソースを第１の周波数帯域Ｆ１に割り当てる。【０１１９】
次に、スケジューラ２２１は、優先度が最も高いデータ（例えば超低遅延データＤ１）に対応するそれぞれの応答信号の送信タイミングの範囲を特定する（Ｓ１２０）。そして、スケジューラ２２１は、優先度が最も高いデータに対応する応答信号毎に、ステップＳ１２０で特定された送信タイミングの範囲において、第２の周波数帯域Ｆ２に応答信号のリソースを仮に割り当てた場合の送信タイミングと、第１の周波数帯域Ｆ１の上り信号の送信タイミングとを比較する（Ｓ１２１）。【０１２０】
次に、スケジューラ２２１は、第２の周波数帯域Ｆ２にリソースを仮に割り当てた場合の送信タイミングが、第１の周波数帯域Ｆ１の上り信号の送信タイミングより早い応答信号について、第２の周波数帯域Ｆ２へのリソースの割り当てを確定させる（Ｓ１２２）。そして、スケジューラ２２１は、第２の周波数帯域Ｆ２にリソースを仮に割り当てた場合の送信タイミングが、第１の周波数帯域Ｆ１の上り信号の送信タイミングと同じか遅い応答信号について、リソースの割り当てを第１の周波数帯域Ｆ１に変更する（Ｓ１２３）。そして、ステップＳ１０３〜Ｓ１０９に示した処理が実行される。【０１２１】
［実施例５の効果］
上述のように、本実施例の制御情報生成部２２３は、制御情報生成部２２３は、Ｆ−ＯＦＤＭ信号に含まれる複数の送信信号の少なくともいずれかにおいて伝送されるデータのまとまりに対して端末３０から送信される応答信号について、データのまとまりが送信された後において、第２の周波数帯域Ｆ２に割り当てられる応答信号の送信タイミングが、第１の周波数帯域Ｆ１において端末３０から上り信号が送信されるタイミングよりも遅い場合、応答信号が送信される周波数帯域を第１の周波数帯域Ｆ１に指定する制御情報を生成する。これにより、応答信号の遅延量をより少なくすることができる。【０１２２】
［その他］
なお、開示の技術は、上記した実施例に限定されるものではなく、その要旨の範囲内で数々の変形が可能である。【０１２３】
例えば、上記した各実施例では、第１の周波数帯域Ｆ１において基地局２０から端末３０へ送信されるＦ−ＯＦＤＭ信号に含まれる複数の送信信号のいずれかに対する応答信号が、第２の周波数帯域Ｆ２において端末３０から基地局２０へ送信される。しかし、開示の技術はこれに限られない。例えば、第１の周波数帯域Ｆ１において端末３０から基地局２０へ送信されるＦ−ＯＦＤＭ信号に含まれる複数の送信信号のいずれかに対する応答信号が、第２の周波数帯域Ｆ２において基地局２０から端末３０へ送信されてもよい。また、基地局２０および端末３０に限られず、互いに通信する２つの無線通信装置においても開示の技術を適用することができる。具体的には、一方の無線通信装置から他方の無線通信装置へ第１の周波数帯域Ｆ１で送信されるＦ−ＯＦＤＭ信号に含まれる複数の送信信号のいずれかに対する応答信号が、他方の無線通信装置から一方の無線通信装置へ第２の周波数帯域Ｆ２で送信されてもよい。【０１２４】
また、上記した各実施例において、ＤＬデータ処理部２２２、ＤＬデータ処理部２２２ａ、およびＤＬデータ処理部２２２ｂは、無線信号として、シンボル長が異なる複数の送信信号を含むＦ−ＯＦＤＭ信号を生成するが、開示の技術はこれに限られない。無線信号は、時間長が異なる無線リソースに割り当てられた複数の送信信号を多重化することにより生成された信号であれば、Ｆ−ＯＦＤＭ信号以外の多重化方式により生成された無線信号であってもよい。即ち、シンボル長は、多重される送信信号間で必ずしも異なっていなくてもよい。ここで、時間長が異なる無線リソースとは、無線信号における時間長が異なる無線リソースであって、応答信号を返すデータのまとまりの時間長が異なる無線リソースである。例えば、シンボル長が同一の場合、超低遅延データＤ１に対しては、スケジューラ２２１によって、短い時間長（例えば少ないシンボル数）の無線リソースが割り当てられる。また、大容量の通信に用いられるデータＤ２に対しては、スケジューラ２２１によって、超低遅延データＤ１に割り当てられた無線リソースよりも長い時間長（より多いシンボル数）の無線リソースが割り当てられる。この場合、同一周波数帯域で超低遅延データＤ１に対する応答信号をＴＤＤで送信するとすれば、ＤＬ／ＵＬの切り替えが発生し、切り替えに伴うオーバーヘッドにより周波数利用効率が低下する場合がある。これは、大容量通信から見た場合、通信容量の低下となる。これに対し、上記した各実施例では、下り信号に用いられる第１の周波数帯域Ｆ１とは異なる第２の周波数帯域Ｆ２を用いて、超低遅延データＤ１に対する応答信号を送信する。これにより、超低遅延データＤ１における遅延の要求を満たしつつ伝送効率を向上させることができる。【０１２５】
また、上記した各実施例において、基地局２０および端末３０がそれぞれ有する処理ブロックは、各実施例における基地局２０および端末３０の理解を容易にするために、主な処理内容に応じて機能別に区分したものである。そのため、処理ブロックの区分方法やその名称によって、開示の技術が制限されることはない。また、上記した各実施例における基地局２０および端末３０が有する各処理ブロックは、処理内容に応じてさらに多くの処理ブロックに細分化することもできるし、複数の処理ブロックを１つの処理ブロックに統合することもできる。また、それぞれの処理ブロックによって実行される処理は、ソフトウェアによる処理として実現されてもよく、ＡＳＩＣ（Application  Specific  Integrated  Circuit）等の専用のハードウェアにより実現されてもよい。
【符号の説明】
【０１２６】
１０  無線通信システム
１１  コアネットワーク
２０  基地局
２１  通信インターフェイス
２２  プロセッサ
２２０  送信データ処理部
２２１  スケジューラ
２２２  ＤＬデータ処理部
２２３  制御情報生成部
２２４  ＵＬデータ処理部
２２５  受信データ処理部
２３  メモリ
２４  無線通信回路
２４０ａ、２４０ｂ、２４０ｃ  無線部
２５  アンテナ
３０  端末
３１  アンテナ
３２  無線通信回路
３２０ａ、３２０ｂ  無線部
３３  プロセッサ
３３０  ＵＬデータ処理部
３３１  送信データ処理部
３３２  ＤＬデータ処理部
３３３  受信データ処理部
３３４  応答信号生成部
３４  メモリ
４０  送信タイミング
４２  送信タイミング
４３  送信タイミング
４４  送信タイミング
【図１】
2018150500.tif 000003
【図２】
2018150500.tif 000004
【図３】
2018150500.tif 000005
【図４】
2018150500.tif 000006
【図５】
2018150500.tif 000007
【図６】
2018150500.tif 000008
【図７】
2018150500.tif 000009
【図８】
2018150500.tif 000010
【図９】
2018150500.tif 000011
【図１０】
2018150500.tif 000012
【図１１】
2018150500.tif 000013
【図１２】
2018150500.tif 000014
【図１３】
2018150500.tif 000015
【図１４】
2018150500.tif 000016
【図１５】
2018150500.tif 000017
【図１６】
2018150500.tif 000018
【図１７】
2018150500.tif 000019
【図１８】
2018150500.tif 000020
【図１９】
2018150500.tif 000021
【手続補正書】
【提出日】令和1年8月2日(2019.8.2)
【手続補正１】
【補正対象書類名】特許請求の範囲
【補正対象項目名】全文
【補正方法】変更
【補正の内容】
【特許請求の範囲】
【請求項１】
上りリンク期間と下りリンク期間とを第１の周波数帯域において時分割で切り替る基地局において、
前記下りリンク期間の信号を、第１の周波数帯域において送信する送信部と、
前記第１の周波数帯域における第１の信号と、前記第１の周波数帯域とは異なる第２の周波数帯域における第２の信号とを受信する受信部と
を有することを特徴とする基地局。
【請求項２】
前記第１の信号および前記第２の信号の少なくともいずれかは、前記下りリンク期間の信号に対する応答信号を含むことを特徴とする請求項１に記載の基地局。
【請求項３】
前記応答信号は、ＡＣＫまたはＮＡＣＫを示すことを特徴とする請求項２に記載の基地局。
【請求項４】
前記第２の信号は、前記下りリンク期間の信号が正しく受信されたか否かを示すＡＣＫまたはＮＡＣＫを含むことを特徴とする請求項２に記載の基地局。
【請求項５】
前記第１の信号に含まれる少なくとも一つの送信信号に対する応答信号が送信される周波数帯域として、前記第２の周波数帯域を指定する指定信号を生成する生成部をさらに備え、
前記送信部は、前記第１の周波数帯域において前記指定信号を送信することを特徴とする請求項１に記載の基地局。
【請求項６】
第１の周波数帯域において上りリンク期間と下りリンク期間とを時分割で切り替る端末において、
第１の周波数帯域における前記上りリンク期間および前記下りリンク期間の中で、前記下りリンク期間の信号を受信する受信部と、
前記第１の周波数帯域とは異なる第２の周波数帯域において、前記上りリンク期間の信号を送信する送信部と
を有し、
前記送信部は、
前記第１の周波数帯域における前記上りリンク期間の信号と重ならないタイミングで、前記第２の周波数帯域における前記上りリンク期間で前記信号を送信することを特徴とする端末。
【請求項７】
前記第１の周波数帯域における前記上りリンク期間の信号および前記第２の周波数帯域における前記上りリンク期間の信号の少なくともいずれかは、前記下りリンク期間の信号に対する応答信号を含むことを特徴とする請求項６に記載の端末。
【請求項８】
前記応答信号は、ＡＣＫまたはＮＡＣＫを示すことを特徴とする請求項７に記載の端末。
【請求項９】
前記第２の周波数帯域における前記上りリンク期間の信号は、前記下りリンク期間の信号が正しく受信されたか否かを示すＡＣＫまたはＮＡＣＫを示すことを特徴とする請求項７に記載の端末。
【請求項１０】
前記受信部は、送信された前記下りリンク期間の信号に含まれる少なくとも一つの受信信号に対する応答信号が送信される周波数帯域として、前記第２の周波数帯域を指定する指定信号を受信することを特徴とする請求項６に記載の端末。
【請求項１１】
第１の周波数帯域において上りリンク期間と下りリンク期間とを時分割で切り替え、
前記下りリンク期間の信号を第１の周波数帯域において送信し、
前記第１の周波数帯域における第１の信号と、前記第１の周波数帯域とは異なる第２の周波数帯域における第２の信号とを受信する
処理を実行することを特徴とする基地局における無線通信方法。
【請求項１２】
第１の周波数帯域において上りリンク期間と下りリンク期間とを時分割で切り替え、
前記第１の周波数帯域において前記上りリンク期間と前記下りリンク期間の中で、時分割で切り替えられた前記下りリンク期間において信号を受信し、
受信した前記信号に応答して、前記第１の周波数帯域とは異なる第２の周波数帯域において前記上りリンク期間の信号を送信し、
さらに、前記第１の周波数帯域における前記上りリンク期間の信号と重ならないタイミングで、前記第２の周波数帯域において前記上りリンク期間の信号を送信する
処理を実行する端末における無線通信方法。
【手続補正３】
【補正対象書類名】明細書
【補正対象項目名】０００１
【補正方法】変更
【補正の内容】
【０００１】
本発明は、基地局、端末、および無線通信方法に関する。
【手続補正４】
【補正対象書類名】明細書
【補正対象項目名】００１２
【補正方法】変更
【補正の内容】
【００１２】
以下に、本願の開示する基地局、端末、および無線通信方法の実施例を、図面に基づいて詳細に説明する。なお、以下の実施例は開示の技術を限定するものではない。また、各実施例は、処理内容を矛盾させない範囲で適宜組み合わせることが可能である。
【国際調査報告】
2018150500.tif 000022
2018150500.tif 000023
2018150500.tif 000024
2018150500.tif 000025